(57)【要約】【課題】髪のまとまりを向上できるヘアケア装置を提供する。【解決手段】ケーシング１の髪処理部(第１挟持部１５)の近傍に設けられた第１吹出口１３Ａと、ケーシング１の髪処理部(第１挟持部１５)の近傍かつ第１吹出口１３Ａに対して吹出方向が異なるように設けられた第２吹出口１３Ｂと、ケーシング１内に配置され、ケーシング１に設けられた吸込口から空気を吸い込んで、イオン発生装置２１により生成されたプラスイオンを主に含む空気を第１吹出口１３Ａから吹き出す一方、イオン発生装置２１により生成されたマイナスイオンを主に含む空気を第２吹出口１３Ｂから吹き出す送風機構(ファンユニット２２と仕切板９)とを備える。【選択図】図１
2013118948.tif 000002
【特許請求の範囲】
【請求項１】
ケーシングと、
上記ケーシング内に配置され、プラスイオンを生成するプラスイオン発生部と、
上記ケーシング内に配置され、マイナスイオンを生成するマイナスイオン発生部と、
上記ケーシングに設けられた髪処理部と、
上記ケーシングの上記髪処理部または上記髪処理部の近傍に設けられた第１吹出口と、
上記ケーシングの上記髪処理部または上記髪処理部の近傍に、上記第１吹出口に対して吹出方向が異なるように設けられた第２吹出口と、
上記ケーシング内に配置され、上記ケーシングに設けられた吸込口から空気を吸い込んで、上記第１吹出口または上記第２吹出口の一方から、上記プラスイオン発生部により生成された上記プラスイオンを主に含む空気を吹き出す一方、上記第１吹出口または上記第２吹出口の他方から、上記マイナスイオン発生部により生成された上記マイナスイオンを主に含む空気を吹き出す送風機構と
を備えたことを特徴とするヘアケア装置。
【請求項２】
請求項１に記載のヘアケア装置において、
上記第１吹出口および上記第２吹出口は、上記ケーシングの上記髪処理部近傍に上記髪処理部を挟むように夫々設けられていることを特徴とするヘアケア装置。
【請求項３】
請求項１または２に記載のヘアケア装置において、
上記プラスイオンを主に含む空気が吹き出す上記第１吹出口または上記第２吹出口の一方は、上記髪処理部の髪を処理していく方向の上流側に設けられ、
上記マイナスイオンを主に含む空気が吹き出す上記第１吹出口または上記第２吹出口の他方は、上記髪処理部の髪を処理していく方向の下流側に設けられていることを特徴とするヘアケア装置。
【請求項４】
請求項１から３までのいずれか１つに記載のヘアケア装置において、
上記プラスイオンを主に含む空気を上記第１吹出口から吹き出して、上記マイナスイオンを主に含む空気を上記第２吹出口から吹き出す第１吹出モードか、または、上記プラスイオンを主に含む空気を上記第２吹出口から吹き出して、上記マイナスイオンを主に含む空気を上記第１吹出口から吹き出す第２吹出モードかを切り替えるイオン切替部を備えたことを特徴とするヘアケア装置。
【請求項５】
請求項４に記載のヘアケア装置において、
上記プラスイオン発生部または上記マイナスイオン発生部の一方となる第１電極と、
上記プラスイオン発生部または上記マイナスイオン発生部の他方となる第２電極と、
マイナスイオン発生電圧とプラスイオン発生電圧を生成するイオン発生電圧生成部と
を備え、
上記イオン切替部は、
上記イオン発生電圧生成部からの上記プラスイオン発生電圧を上記第１電極に印加し、上記イオン発生電圧生成部からの上記マイナスイオン発生電圧を上記第２電極に印加するか、または、上記イオン発生電圧生成部からの上記プラスイオン発生電圧を上記第２電極に印加し、上記イオン発生電圧生成部からの上記マイナスイオン発生電圧を上記第１電極に印加するかを切り替えることを特徴とするヘアケア装置。
【請求項６】
請求項４または５に記載のヘアケア装置において、
上記ケーシング内に配置され、上記ケーシングに対する重力方向を検出する重力方向検出部を備え、
上記イオン切替部は、上記重力方向検出部により検出された上記ケーシングに対する重力方向に基づいて、上記プラスイオンを主に含む空気を上記第１吹出口から吹き出して、上記マイナスイオンを主に含む空気を上記第２吹出口から吹き出す第１吹出モードか、または、上記プラスイオンを主に含む空気を上記第２吹出口から吹き出して、上記マイナスイオンを主に含む空気を上記第１吹出口から吹き出す第２吹出モードかを切り替えることを特徴とするヘアケア装置。
【請求項７】
請求項４または５に記載のヘアケア装置において、
上記ケーシングの移動方向を検出する加速度センサと、
上記加速度センサにより検出された上記ケーシングの移動方向に基づいて、上記髪処理部の髪を処理していく方向の上流側が上記第１吹出口で上記髪処理部の髪を処理していく方向の下流側が上記第２吹出口であるか、または、上記髪処理部の髪を処理していく方向の上流側が上記第２吹出口で上記髪処理部の髪を処理していく方向の下流側が上記第１吹出口であるか判定する吹出口判定部と
を備え、
上記イオン切替部は、
上記髪処理部の髪を処理していく方向の上流側が上記第１吹出口で上記髪処理部の髪を処理していく方向の下流側が上記第２吹出口があると上記吹出口判定部が判定すると、上記プラスイオンを主に含む空気を上記第１吹出口から吹き出して、上記マイナスイオンを主に含む空気を上記第２吹出口から吹き出す第１吹出モードとする一方、
上記髪処理部の髪を処理していく方向の上流側が上記第２吹出口で上記髪処理部の髪を処理していく方向の下流側が上記第１吹出口があると上記吹出口判定部が判定すると、上記プラスイオンを主に含む空気を上記第２吹出口から吹き出して、上記マイナスイオンを主に含む空気を上記第１吹出口から吹き出す第２吹出モードとすることを特徴とするヘアケア装置。
【請求項８】
請求項１から７までのいずれか１つに記載のヘアケア装置において、
上記ケーシングは、第１髪挟み部および第２髪挟み部と、上記第１髪挟み部と上記第２髪挟み部とを互いに揺動可能に連結する連結部とを備え、
上記第１髪挟み部は、上記連結部側の第１握り部と、上記第１握り部に対して上記連結部と反対の側に上記髪処理部である第１挟持部とを有すると共に、
上記第２髪挟み部は、上記連結部側の第２握り部と、上記第２握り部に対して上記連結部と反対の側に、上記第１髪挟み部の上記第１挟持部と対向する上記髪処理部である第２挟持部とを有することを特徴とするヘアケア装置。
【請求項９】
請求項１から７までのいずれか１つに記載のヘアケア装置において、
上記髪処理部は、ブローブラシまたはロールブラシであることを特徴とするヘアケア装置。
【請求項１０】
請求項１に記載のヘアケア装置において、
上記第１吹出口は、上記髪処理部に設けられるか、または、上記髪処理部側に吹き出すように上記ケーシングに設けられると共に、
上記第２吹出口は、上記髪処理部の外側に設けられており、
上記送風機構は、上記第１吹出口から、上記プラスイオン発生部により生成された上記プラスイオンを主に含む空気を吹き出す一方、上記第２吹出口の他方から、上記マイナスイオン発生部により生成された上記マイナスイオンを主に含む空気を吹き出すことを特徴とするヘアケア装置。
【発明の詳細な説明】
【技術分野】
【０００１】
この発明は、ヘアケア装置に関する。
【背景技術】
【０００２】
従来、ヘアケア装置としては、マイナスイオン発生装置で発生したマイナスイオンを、髪ケア部の両側に配置した放出口から放出するヘアアイロンがある(例えば、特許第３４０２３２７号(特許文献１)参照)。上記ヘアアイロンでは、髪にマイナスイオンを付着させて、髪ケア部での髪の手入れを行ったときに生じる髪の損傷を防止する。
【０００３】
しかしながら、上記ヘアアイロンでは、髪ケア部が髪との接触によりマイナスに帯電して、髪ケア部と髪が静電気により反発し合うため、髪のまとまりが悪くなるという問題がある。
【先行技術文献】
【特許文献】
【０００４】
【特許文献１】特許第３４０２３２７号
【発明の概要】
【発明が解決しようとする課題】
【０００５】
そこで、この発明の課題は、髪のまとまりを向上できるヘアケア装置を提供することにある。
【課題を解決するための手段】
【０００６】
上記課題を解決するため、この発明のヘアケア装置は、
ケーシングと、
上記ケーシング内に配置され、プラスイオンを生成するプラスイオン発生部と、
上記ケーシング内に配置され、マイナスイオンを生成するマイナスイオン発生部と、
上記ケーシングに設けられた髪処理部と、
上記ケーシングの上記髪処理部または上記髪処理部の近傍に設けられた第１吹出口と、
上記ケーシングの上記髪処理部または上記髪処理部の近傍に、上記第１吹出口に対して吹出方向が異なるように設けられた第２吹出口と、
上記ケーシング内に配置され、上記ケーシングに設けられた吸込口から空気を吸い込んで、上記第１吹出口または上記第２吹出口の一方から、上記プラスイオン発生部により生成された上記プラスイオンを主に含む空気を吹き出す一方、上記第１吹出口または上記第２吹出口の他方から、上記マイナスイオン発生部により生成された上記マイナスイオンを主に含む空気を吹き出す送風機構と
を備えたことを特徴とする。
【０００７】
ここで、髪処理部としては、ヘアアイロンの挟持面を有する部分や、ブローブラシやロールブラシを備えたドライヤにおけるブローブラシやロールブラシなどである。
【０００８】
上記構成によれば、ケーシング内に配置された送風機構によって、ケーシングに設けられた吸込口から空気を吸い込んで、第１吹出口または第２吹出口の一方から、プラスイオン発生部により生成されたプラスイオンを主に含む空気を吹き出す一方、第１吹出口または第２吹出口の他方から、マイナスイオン発生部により生成されたマイナスイオンを主に含む空気を吹き出す。例えば、ヘアアイロンの髪処理部である挟持面を有する部分の両側に第１吹出口または第２吹出口を設けて、第１吹出口を髪を処理していく方向の上流側(髪先端部側)とし、第２吹出口を髪を処理していく方向の下流側(髪根元部側)として、第１吹出口からプラスイオンを主に含む空気を吹き出し、第２吹出口からマイナスイオンを主に含む空気を吹き出す。ここで、髪処理部の髪を処理していく方向とは、例えば、ヘアアイロンであれば、髪処理部である挟持面の部分で髪を挟んで髪根元部から髪先端部に向かってスライドさせる方向であり、ブローブラシを備えたドライヤであれば、髪処理部であるブローブラシで髪根元部から髪先端部に向かって髪を梳く方向である。そうすることによって、髪処理部で髪を処理する前に髪に第１吹出口からのプラスイオンを付着させて、この髪に付着したプラスイオンにより髪処理部に帯電したマイナスの電荷を中和して除去する。また、髪処理部で処理した後の髪に第２吹出口からのマイナスイオンを付着させる。これによって、髪処理部と髪が静電気により反発し合うことを防ぐことができ、処理後の髪にマイナスイオンを確実に付着させることができ、髪のまとまりを向上できる。
【０００９】
また、一実施形態のヘアケア装置では、
上記第１吹出口および上記第２吹出口は、上記ケーシングの上記髪処理部近傍に上記髪処理部を挟むように夫々設けられている。
【００１０】
上記実施形態によれば、第１吹出口および第２吹出口は、ケーシングの上記髪処理部近傍に上記髪処理部を挟むように夫々設けることによって、第１吹出口を髪を処理していく方向の上流側(髪先端部側)とし、第２吹出口を髪を処理していく方向の下流側(髪根元部側)として、第１吹出口からプラスイオンを主に含む空気を吹き出し、第２吹出口からマイナスイオンを主に含む空気を吹き出すことが可能になる。
【００１１】
また、一実施形態のヘアケア装置では、
上記プラスイオンを主に含む空気が吹き出す上記第１吹出口または上記第２吹出口の一方は、上記髪処理部の髪を処理していく方向の上流側に設けられ、
上記マイナスイオンを主に含む空気が吹き出す上記第１吹出口または上記第２吹出口の他方は、上記髪処理部の髪を処理していく方向の下流側に設けられている。
【００１２】
上記実施形態によれば、髪処理部の髪を処理していく方向の上流側(髪先端部側)に設けられた第１吹出口または第２吹出口の一方からプラスイオンを主に含む空気吹き出し、髪処理部の髪を処理していく方向の下流側(髪根元部側)に設けられた第１吹出口または第２吹出口の他方からマイナスイオンを主に含む空気吹き出す。これによって、髪処理部で髪を処理する前に髪に第１吹出口からのプラスイオンを付着させて、この髪に付着したプラスイオンにより髪処理部に帯電したマイナスの電荷を中和して除去すると共に、髪処理部で処理した後の髪に第２吹出口からのマイナスイオンを付着させることができる。
【００１３】
また、一実施形態のヘアケア装置では、
上記プラスイオンを主に含む空気を上記第１吹出口から吹き出して、上記マイナスイオンを主に含む空気を上記第２吹出口から吹き出す第１吹出モードか、または、上記プラスイオンを主に含む空気を上記第２吹出口から吹き出して、上記マイナスイオンを主に含む空気を上記第１吹出口から吹き出す第２吹出モードかを切り替えるイオン切替部を備えた。
【００１４】
上記実施形態によれば、プラスイオンを主に含む空気を第１吹出口から吹き出して、マイナスイオンを主に含む空気を第２吹出口から吹き出す第１吹出モードか、または、プラスイオンを主に含む空気を第２吹出口から吹き出して、マイナスイオンを主に含む空気を第１吹出口から吹き出す第２吹出モードかの切り替えを可能にするイオン切替部を備えることによって、第１吹出口と第２吹出口から吹き出すイオン種を選択することが可能になる。
【００１５】
また、一実施形態のヘアケア装置では、
上記プラスイオン発生部または上記マイナスイオン発生部の一方となる第１電極と、
上記プラスイオン発生部または上記マイナスイオン発生部の他方となる第２電極と、
マイナスイオン発生電圧とプラスイオン発生電圧を生成するイオン発生電圧生成部と
を備え、
上記イオン切替部は、
上記イオン発生電圧生成部からの上記プラスイオン発生電圧を上記第１電極に印加し、上記イオン発生電圧生成部からの上記マイナスイオン発生電圧を上記第２電極に印加するか、または、上記イオン発生電圧生成部からの上記プラスイオン発生電圧を上記第２電極に印加し、上記イオン発生電圧生成部からの上記マイナスイオン発生電圧を上記第１電極に印加するかを切り替える。
【００１６】
上記実施形態によれば、イオン切替部によって、イオン発生電圧生成部からのプラスイオン発生電圧を第１電極に印加し、イオン発生電圧生成部からのマイナスイオン発生電圧を上記第２電極に印加することで、第１電極側がプラスイオン発生部となり、第２電極側がマイナスイオン発生部となる。また、上記イオン切替部によって、イオン発生電圧生成部からのプラスイオン発生電圧を第２電極に印加し、イオン発生電圧生成部からのマイナスイオン発生電圧を第１電極に印加することで、第２電極側がプラスイオン発生部となり、第１電極側がマイナスイオン発生部となる。このように、第１,第２電極に対して印加する電圧を切り替えることで、簡単に第１吹出モード(プラスイオンを主に含む空気を第１吹出口から吹き出し、マイナスイオンを主に含む空気を第２吹出口から吹き出す)か、または、第２吹出モード(プラスイオンを主に含む空気を第２吹出口から吹き出し、マイナスイオンを主に含む空気を第１吹出口から吹き出す)かを択一的に切り替えることができる。また、イオン発生電圧生成部から出力されるマイナスイオン発生電圧とプラスイオン発生電圧をオフすることで、第１,第２吹出口からイオンを含む空気を吹き出さないようにできる。
【００１７】
また、一実施形態のヘアケア装置では、
上記ケーシング内に配置され、上記ケーシングに対する重力方向を検出する重力方向検出部を備え、
上記イオン切替部は、上記重力方向検出部により検出された上記ケーシングに対する重力方向に基づいて、上記プラスイオンを主に含む空気を上記第１吹出口から吹き出して、上記マイナスイオンを主に含む空気を上記第２吹出口から吹き出す第１吹出モードか、または、上記プラスイオンを主に含む空気を上記第２吹出口から吹き出して、上記マイナスイオンを主に含む空気を上記第１吹出口から吹き出す第２吹出モードかを切り替える。
【００１８】
上記実施形態によれば、重力方向検出部により検出されたケーシングに対する重力方向から定まる第１吹出口と第２吹出口との上下関係、および、髪を処理していく方向が上方から下方であることから、第１吹出口と第２吹出口の夫々が髪処理部の髪を処理していく方向の上流側(髪先端部側)であるか下流側(髪根元部側)であるかが決まる。そのため、イオン切替部は、重力方向検出部により検出されたケーシングに対する重力方向に基づいて、例えば、髪処理部の髪を処理していく方向の上流側(髪先端部側)が第１吹出口で、髪処理部の髪を処理していく方向の下流側(髪根元部側)が第２吹出口である場合、プラスイオンを主に含む空気を第１吹出口から吹き出して、マイナスイオンを主に含む空気を第２吹出口から吹き出すように第１吹出モードに切り替える。あるいは、イオン切替部は、重力方向検出部により検出されたケーシングに対する重力方向に基づいて、例えば、髪処理部の髪を処理していく方向の上流側(髪先端部側)が第２吹出口で髪処理部の髪を処理していく方向の下流側(髪根元部側)が第１吹出口である場合、プラスイオンを主に含む空気を第２吹出口から吹き出して、マイナスイオンを主に含む空気を第１吹出口から吹き出すように第２吹出モードに切り替える。これにより、自動的に第１吹出口と第２吹出口から吹き出すイオン種を切り替えることができる。
【００１９】
ここで、重力方向検出部としては、ジャイロセンサ、加速度センサ、歪センサ、水銀スイッチなどを用いてよい。
【００２０】
また、一実施形態のヘアケア装置では、
上記ケーシングの移動方向を検出する加速度センサと、
上記加速度センサにより検出された上記ケーシングの移動方向に基づいて、上記髪処理部の髪を処理していく方向の上流側が上記第１吹出口で上記髪処理部の髪を処理していく方向の下流側が上記第２吹出口であるか、または、上記髪処理部の髪を処理していく方向の上流側が上記第２吹出口で上記髪処理部の髪を処理していく方向の下流側が上記第１吹出口であるか判定する吹出口判定部と
を備え、
上記イオン切替部は、
上記髪処理部の髪を処理していく方向の上流側が上記第１吹出口で上記髪処理部の髪を処理していく方向の下流側が上記第２吹出口があると上記吹出口判定部が判定すると、上記プラスイオンを主に含む空気を上記第１吹出口から吹き出して、上記マイナスイオンを主に含む空気を上記第２吹出口から吹き出す第１吹出モードとする一方、
上記髪処理部の髪を処理していく方向の上流側が上記第２吹出口で上記髪処理部の髪を処理していく方向の下流側が上記第１吹出口があると上記吹出口判定部が判定すると、上記プラスイオンを主に含む空気を上記第２吹出口から吹き出して、上記マイナスイオンを主に含む空気を上記第１吹出口から吹き出す第２吹出モードとする。
【００２１】
上記実施形態によれば、加速度センサにより検出されたケーシングの移動方向に基づいて、吹出口判定部は、髪処理部の髪を処理していく方向の上流側(髪先端部側)が第１吹出口で髪処理部の髪を処理していく方向の下流側(髪根元部側)が第２吹出口であるか、または、髪処理部の髪を処理していく方向の上流側(髪先端部側)が第２吹出口で髪処理部の髪を処理していく方向の下流側(髪根元部側)が第１吹出口であるか判定する。そして、髪処理部の髪を処理していく方向の上流側(髪先端部側)が第１吹出口で髪処理部の髪を処理していく方向の下流側(髪根元部側)が第２吹出口があると吹出口判定部が判定すると、イオン切替部は、第１吹出モードを選択して、プラスイオンを主に含む空気を第１吹出口から吹き出して、マイナスイオンを主に含む空気を第２吹出口から吹き出す。一方、髪処理部の髪を処理していく方向の上流側(髪先端部側)が第２吹出口で髪処理部の髪を処理していく方向の下流側(髪根元部側)が第１吹出口があると吹出口判定部が判定すると、イオン切替部は、第２吹出モードを選択して、プラスイオンを主に含む空気を第２吹出口から吹き出して、マイナスイオンを主に含む空気を第１吹出口から吹き出す。これにより、自動的に第１吹出口と第２吹出口から吹き出すイオン種を切り替えることができる。
【００２２】
また、一実施形態のヘアケア装置では、
上記ケーシングは、第１髪挟み部および第２髪挟み部と、上記第１髪挟み部と上記第２髪挟み部とを互いに揺動可能に連結する連結部とを備え、
上記第１髪挟み部は、上記連結部側の第１握り部と、上記第１握り部に対して上記連結部と反対の側に上記髪処理部である第１挟持部とを有すると共に、
上記第２髪挟み部は、上記連結部側の第２握り部と、上記第２握り部に対して上記連結部と反対の側に、上記第１髪挟み部の上記第１挟持部と対向する上記髪処理部である第２挟持部とを有する。
【００２３】
上記実施形態によれば、第１髪挟み部と第２髪挟み部とを連結部を介して互いに揺動させて、第１髪挟み部と第２髪挟み部の夫々の髪処理部である第１,第２挟持部間に髪を挟んで、髪をアイロンがけすることにより髪を収まりよくまとめることができる。
【００２４】
また、一実施形態のヘアケア装置では、
上記髪処理部は、ブローブラシまたはロールブラシである。
【００２５】
上記実施形態によれば、ブローブラシまたはロールブラシで髪の毛を巻きながら髪を収まりよくまとめることができる。
【００２６】
また、一実施形態のヘアケア装置は、
上記第１吹出口は、上記髪処理部に設けられるか、または、上記髪処理部側に吹き出すように上記ケーシングに設けられると共に、
上記第２吹出口は、上記髪処理部の外側に設けられており、
上記送風機構は、上記第１吹出口から、上記プラスイオン発生部により生成された上記プラスイオンを主に含む空気を吹き出す一方、上記第２吹出口の他方から、上記マイナスイオン発生部により生成された上記マイナスイオンを主に含む空気を吹き出す。
【００２７】
上記実施形態によれば、ケーシング内に配置された送風機構によって、ケーシングに設けられた吸込口から空気を吸い込んで、プラスイオン発生部により生成されたプラスイオンを主に含む空気を第１吹出口から吹き出す一方、マイナスイオン発生部により生成されたマイナスイオンを主に含む空気を第２吹出口から吹き出す。例えば、ヘアアイロンの髪処理部である挟持面を有する部分または、その髪処理部である挟持面を有する部分側に吹き出すように第１吹出口をケーシングに設けて、第１吹出口からプラスイオンを主に含む空気を吹き出し、髪処理部である挟持面を有する部分の外側に設けられた第２吹出口からマイナスイオンを主に含む空気を吹き出す。そうすることによって、髪を処理する髪処理部に第１吹出口からのプラスイオンを付着させて、髪との摩擦により帯電した髪処理部のマイナスの電荷を中和して除去する。また、髪処理部で処理した後の髪に第２吹出口からのマイナスイオンを付着させる。これによって、髪処理部と髪が静電気により反発し合うことを防ぐことができるので、処理後の髪にマイナスイオンを確実に付着させることができ、髪のまとまりを向上できる。
【発明の効果】
【００２８】
以上より明らかなように、この発明のヘアケア装置によれば、髪のまとまりを向上できるヘアケア装置を実現することにある。
【図面の簡単な説明】
【００２９】
【図１】図１はこの発明の第１実施形態のヘアケア装置の一例としてのヘアアイロンの断面模式図である。
【図２】図２は上記ヘアアイロンの断面模式図である。
【図３】図３は髪を処理する上記ヘアアイロンの表側から見た模式図である。
【図４】図４は髪を処理する上記ヘアアイロンの裏側から見た模式図である。
【図５】図５は髪を処理する上記ヘアアイロンの表側から見た他の例の模式図である。
【図６Ａ】図６Ａは上記ヘアアイロンの構成を示すブロック図である。
【図６Ｂ】図６Ｂは他の形態のヘアアイロンの構成図である。
【図７】図７はヘアアイロンの処理回数に対するくせ毛の収まり度の関係を示す図である。
【図８】図８はこの発明の第２実施形態のヘアアイロンの斜視図である。
【図９】図９は上記ヘアアイロンの側面図である。
【図１０】図１０は上記ヘアアイロンを示す図９のＸ−Ｘ線から見た断面図である。
【図１１】図１１は図１０のXI−XI線から見た断面図である。
【図１２】図１２は図１０のXII−XII線から見た断面図である。
【図１３】図１３は図１０のXIII−XIII線から見た断面図である。
【図１４】図１４はこの発明の第３実施形態のヘアケア装置の一例としてのヘアアイロンの模式図である。
【図１５】図１５はこの発明の第４実施形態のヘアケア装置の一例としてのヘアアイロンの模式図である。
【図１６】図１６はこの発明の第５実施形態のヘアケア装置の一例としてのブローブラシ式ドライヤの断面模式図である。
【図１７】図１７は上記ブローブラシ式ドライヤの断面模式図である。
【図１８】図１８はこの発明の第６実施形態のヘアケア装置の一例としてのブローブラシ式ドライヤの側面図である。
【図１９】図１９は上記ブローブラシ式ドライヤの先端側から見た側面図である。
【図２０】図２０は上記ブローブラシ式ドライヤの断面模式図である。
【図２１】図２１はこの発明の第７実施形態のヘアケア装置の一例としてのロールブラシ式ドライヤの側面図である。
【図２２】図２２は上記ロールブラシ式ドライヤの先端側から見た側面図である。
【図２３】図２３は上記ロールブラシ式ドライヤの断面模式図である。
【発明を実施するための形態】
【００３０】
以下、この発明のヘアケア装置を図示の実施の形態により詳細に説明する。
【００３１】
〔第１実施形態〕
図１はこの発明の第１実施形態のヘアケア装置の一例としてのヘアアイロンの表面から見た断面模式図を示し、図２は上記ヘアアイロンの側方から見た断面模式図を示している。
【００３２】
この第２実施形態のヘアアイロンは、図１,図２に示すように、上下に対向するように配置された第１髪挟み部２と第２髪挟み部３と、第１髪挟み部２と第２髪挟み部３を一端側で互いに揺動可能に連結する連結部の一例としての揺動軸８とを有するケーシング１を備えている。上記第１髪挟み部２は、第１握り部４と第１アイロン部５とを有すると共に、第２髪挟み部３は、第２握り部６と第２アイロン部７とを有している。上記ケーシング１は、例えばＰＥＴ(ポリエチレンテレフタレート)等の合成樹脂からなる。
【００３３】
上記第１髪挟み部２と第２髪挟み部３を、互いに開く方向に付勢する図示しないバネを揺動軸８に巻装している。第２髪挟み部３は、第１髪挟み部２から揺動軸８を中心に所定開度開いた位置でバネにより保持される。
【００３４】
上記第１髪挟み部２は、中空形状をしており、その第１髪挟み部２の第１握り部４側の内部には、イオン発生装置２１と、ファンユニット２２と、電源部２３(図６Ａに示す)とを有している。上記ファンユニット２２は、ファン２２aとそのファン２２aを駆動するモータ(図示せず)とを有している。
【００３５】
また、上記第１髪挟み部２の第１アイロン部５側には、平板形状の第１挟持部１５を設けている。この第１挟持部１５の平坦な挟持面が露出している。
【００３６】
また、上記第２髪挟み部３は、第２アイロン部７側には、平板形状の第２挟持部１６を設けている。また、第１髪挟み部２の第１挟持部１５と同様に、第２挟持部１６の平坦な挟持面が露出している。
【００３７】
また、この第１,第２挟持部１５,１６は、図示しないヒータにより夫々加熱される。上記ヒータには、例えば、ＰＴＣ(ポジティブテンパーチャーコエフィシエント)ヒータやコイルヒータ、シーズヒータ等を用いている。
【００３８】
上記第１アイロン部５側の第１挟持部１５と第２アイロン部７側の第２挟持部１６で髪処理部を形成している。
【００３９】
そして、上記第１髪挟み部２の第１挟持部１５の露出面と、この第２髪挟み部３の第２挟持部１６の露出面との間に髪を挟んで、その挟んだ髪の根元側から毛先側に沿ってヘアアイロンをスライドさせるにより、ストレートヘアやカールヘアなどのヘアケア処理を行う。
【００４０】
上記ケーシング１の第１アイロン部５側の第１挟持部１５の近傍に、第１挟持部１５を挟むようにかつケーシング１の長手方向に沿って配列するように、円形状の複数の穴からなる第１,第２吹出口１３Ａ,１３Ｂを夫々設けている。また、上記第１アイロン部５内に、第１吹出口１３Ａ側と第２吹出口１３Ｂ側とを仕切る仕切板９を設けている。上記ファンユニット２２と仕切板９で送風機構を構成している。
【００４１】
上記イオン発生装置２１は、ケーシング１内かつファンユニット２２と第１,第２吹出口１３Ａ,１３Ｂとの間に配置されている。このイオン発生装置２１は、Ｈ＋(Ｈ２Ｏ)ｍ(ｍは任意の自然数)であるプラスイオンを放出し、Ｏ２−(Ｈ２Ｏ)ｎ(ｎは任意の自然数)であるマイナスイオンを放出する。
【００４２】
図３は髪を処理する上記ヘアアイロンの表側から見た模式図を示している。
【００４３】
図３では、図１に示す第１髪挟み部２の第１挟持部１５の露出面と、この第２髪挟み部３の第２挟持部１６の露出面とで髪を挟んだ状態で、髪根元部から髪先端部に向かってスライドさせる。例えば、ヘアアイロンの第１握り部４と第２握り部６を右手で持って、髪根元部から髪先端部に向かって上側から下側にヘアアイロンをスライドさせる。このとき、イオン発生装置２１の第１電極２１Ａ(プラスイオン発生部)からのプラスイオンを含む空気が第１アイロン部５の第１吹出口１３Ａから下方(走査方向上流側(髪先端部側))に向かって吹き出す。一方、イオン発生装置２１の第２電極２１Ｂ(マイナスイオン発生部)からのマイナスイオンを含む空気が第１アイロン部５の第２吹出口１３Ｂから上方(走査方向下流側(髪根元部側))に向かって吹き出す。
【００４４】
これにより、第１,第２アイロン部４,９で髪を処理する前に髪に第１吹出口１３Ａからのプラスイオンを付着させて、この髪に付着したプラスイオンにより第１,第２アイロン部４,９に帯電したマイナスの電荷を中和して除去する。また、第１,第２アイロン部４,９で処理した後の髪に第２吹出口１３Ｂからのマイナスイオンを付着させる。これによって、第１,第２アイロン部４,９と髪が静電気により反発し合うことを防ぐことができると共に、処理後の髪にマイナスイオンを確実に付着させることができ、髪のまとまりを向上できる。
【００４５】
ここで、図４に示すように上記ヘアアイロンを裏返したり、図５に示すように左手にヘアアイロンを持ち替えたりして、図３と同様に、第１,第２髪挟み部１,２で髪を挟んだ状態で、髪根元部から髪先端部に向かってスライドさせる場合は、第１,第２吹出口１３Ａ,１３Ｂの上下位置が逆転する。このため、第１アイロン部５の第１吹出口１３Ａから吹き出すプラスイオンを含む空気が上方(走査方向下流側)に向かって吹き出す一方、第１アイロン部５の第２吹出口１３Ｂからマイナスイオンを含む空気が下方(走査方向上流側)に向かって吹き出す。したがって、このままでは、図３と同様の効果は得られない。
【００４６】
そこで、この第１実施形態のヘアアイロンでは、プラスイオンを主に含む空気を第１吹出口１３Ａから吹き出して、マイナスイオンを主に含む空気を第２吹出口１３Ｂから吹き出す第１吹出モードか、または、プラスイオンを主に含む空気を第２吹出口１３Ｂから吹き出して、マイナスイオンを主に含む空気を第１吹出口１３Ａから吹き出す第２吹出モードかを切り替えるイオン切替部を備えている。
【００４７】
図６Ａは上記ヘアアイロンの構成を示すブロック図を示している。このヘアアイロンは、図６Ａに示すように、ケーシング１内に、電源入力コネクタ７に接続された電源部２３と、電源部２３から出力される交流電圧(例えばＡＣ１００Ｖ)が一次巻線に印加される昇圧トランスＴ１と、操作スイッチ部３１と、操作スイッチ部３１からの信号を受ける制御部３０と、第１,第２挟持部１５,１６(図２に示す)を加熱するヒータ３２,３３と、制御部３０により制御されるファンユニット２２と、イオン発生装置２１とを備えている。上記電源部２３は、制御部３０からの制御信号により交流電圧の出力がオンオフされる。また、上記操作スイッチ部３１は、イオン発生装置２１とファンユニット２２のオンオフ用スイッチと、ヒータ３２,３３のオンオフ用スイッチと、第１吹出モードか第２吹出モードかの切り替え用スイッチとを有する。
【００４８】
上記電源部２３と昇圧トランスＴ１でイオン発生電圧生成部を構成している。
【００４９】
上記イオン発生装置２１は、昇圧トランスＴ１の二次側巻線の一端が入力端子に接続された切替スイッチＳＷ１,ＳＷ２と、切替スイッチＳＷ１の一方の出力端子にカソードが接続されたダイオードＤ１と、切替スイッチＳＷ１の他方の出力端子にアノードが接続されたダイオードＤ２と、切替スイッチＳＷ２の一方の出力端子にアノードが接続されたダイオードＤ３と、切替スイッチＳＷ２の他方の出力端子にカソードが接続されたダイオードＤ４と、昇圧トランスＴ１の二次側巻線の他端に一端が接続され、他端がダイオードＤ１のアノードとダイオードＤ２のカソードに接続されたコンデンサＣ１と、昇圧トランスＴ１の二次側巻線の他端に一端が接続され、他端がダイオードＤ３のカソードとダイオードＤ４のアノードに接続されたコンデンサＣ２と、ダイオードＤ１のアノードとダイオードＤ２のカソードに接続された第１電極の一例としての針状電極４１と、昇圧トランスＴ１の二次側巻線の他端に接続され、上記針状電極４１を囲む環状の誘導電極４２と、ダイオードＤ３のカソードとダイオードＤ４のアノードに接続された第２電極の一例としての針状電極５１と、昇圧トランスＴ１の二次側巻線の他端に接続され、上記針状電極５１を囲む環状の誘導電極５２とを有している。
【００５０】
上記針電極４１は、環状の誘導電極４２の略中心に位置し、先端が尖った針形状をしている。上記誘導電極４２と針電極４１との間隔は８ｍｍになっている。また、上記針電極５１は、環状の誘導電極５２の略中心に位置し、先端が尖った針形状をしている。上記誘導電極５２と針電極５１との間隔は８ｍｍになっている。
【００５１】
上記切替スイッチＳＷ１,ＳＷ２とダイオードＤ１〜Ｄ４でイオン切替部を構成している。
【００５２】
上記制御部３０は、操作スイッチ部３１からの切替信号に基づいて、図６Ａに示すように、切替スイッチＳＷ１がダイオードＤ２側に選択されると共に、切替スイッチＳＷ２がダイオードＤ４側に選択される第１吹出モードか、または、切替スイッチＳＷ１がダイオードＤ１側に選択されると共に、切替スイッチＳＷ２がダイオードＤ３側に選択される第２吹出モードかを切り替える。
【００５３】
そして、第１吹出モードが選択されると、実効電圧２ｋＶ以上の電圧と０Ｖとが切り替わる６０Ｈｚの交流が針電極４１に印加される一方、誘導電極４２は０Ｖとなっている。針電極４１に実効電圧２ｋＶ以上が印加されているときに誘導電極４２との間の電位差によるコロナ放電がおこり、針電極４１の先端部近傍で空気中の水分子が電離して、水素イオン(Ｈ＋)が生成する。この水素イオンが空気中の水分子と群状態で結合(クラスタリング)し、Ｈ＋(Ｈ２Ｏ)ｍ(ｍは任意の自然数)からなるプラスイオンが発生する。これにより、プラスイオンを主に含む空気を第１吹出口１３Ａから吹き出す。
【００５４】
また、実効電圧−２ｋＶ以下の電圧と０Ｖとが切り替わる６０Ｈｚの交流が針電極５１に印加される一方、誘導電極５２は０Ｖとなっており、マイナスイオンが発生するようになっている。このマイナスイオンは、空気中の酸素分子又は水分子が電離してできる酸素イオンＯ２−である。この酸素イオンが空気中の水分子と結合(クラスタリング)してＯ２−(Ｈ２Ｏ)ｎ(ｎは任意の自然数)からなる負イオンが発生する。これにより、マイナスイオンを主に含む空気を第２吹出口１３Ｂから吹き出す。
【００５５】
逆に、第２吹出モードが選択されると、実効電圧２ｋＶ以上の電圧と０Ｖとが切り替わる６０Ｈｚの交流が針電極５１に印加され、実効電圧−２ｋＶ以上の電圧と０Ｖとが切り替わる６０Ｈｚの交流が針電極４１に印加される。これにより、プラスイオンを主に含む空気を第２吹出口１３Ｂから吹き出して、マイナスイオンを主に含む空気を第１吹出口１３Ａから吹き出す。
【００５６】
このように、プラスイオンを主に含む空気を第１吹出口１３Ａから吹き出して、マイナスイオンを主に含む空気を第２吹出口１３Ｂから吹き出す第１吹出モードか、または、プラスイオンを主に含む空気を第２吹出口１３Ｂから吹き出して、マイナスイオンを主に含む空気を第１吹出口１３Ａから吹き出す第２吹出モードかの切り替えを可能にするイオン切替部を備えることによって、第１吹出口１３Ａと第２吹出口１３Ｂから吹き出すイオン種を選択することが可能になる。
【００５７】
また、第１,第２電極である針状電極４１,５１に対して印加する電圧を切り替えることで、簡単に第１吹出モードか、または、第２吹出モードかを択一的に切り替えることができる。また、イオン発生電圧生成部(電源部２３と昇圧トランスＴ１)から出力されるマイナスイオン発生電圧とプラスイオン発生電圧をオフすることで、第１,第２吹出口１３Ａ,１３Ｂからイオンを含む空気を吹き出さないようにできる。
【００５８】
図７は本出願人が行った実験により得られたヘアアイロンの処理回数に対するくせの収まり度の関係を示している。図７において、横軸は処理回数を表し、縦軸はくせ毛の収まり度Ｗ／Ｗ０を表している。
【００５９】
ここで、試験方法は、イオン発生装置を除いて同一構成のヘアアイロンを用いて、マイナスイオンのみ吹き出す比較用のヘアアイロンと、プラスイオンとマイナスイオンを吹き分ける本発明のヘアアイロンとを次の条件で比較した。
【００６０】
パーマ処理した毛束(長さ３０ｃｍ)に対して、比較用のヘアアイロンと本実施形態のヘアアイロンにより５秒走査し、毛束の長さ方向の１／２の部分の毛束幅Ｗを測定するということを複数回繰り返すことにより、初期の毛束幅Ｗ０に対する収まり度Ｗ／Ｗ０を求めた。
【００６１】
実験に用いた本発明のヘアアイロンにおけるイオン濃度は次のとおりであった。
左吹出口      ：  プラスイオン    ２５×１０４個／ｃｍ３
マイナスイオン  ８５×１０４個／ｃｍ３
右吹出口      ：  プラスイオン    ６０×１０４個／ｃｍ３
マイナスイオン  ２０×１０４個／ｃｍ３
左右吹出口平均：  プラスイオン    ４３×１０４個／ｃｍ３
マイナスイオン  ５３×１０４個／ｃｍ３
【００６２】
一方、実験に用いた比較用のヘアアイロンの平均イオン濃度は次のとおりであった。
左右吹出口    ：  マイナスイオン  ５０×１０４個／ｃｍ３
【００６３】
図７から明らかなように、本発明のヘアアイロンでは、マイナスイオンのみ吹き出す比較用のヘアアイロンに比べて、処理回数１〜１０の全てでくせ毛の収まり度Ｗ／Ｗ０が低く、処理回数２〜３でくせ毛が納まることを確認した。
【００６４】
上記構成のヘアアイロンによれば、ケーシング１内に配置された送風機構によって、ケーシング１に設けられた吸込口から空気を吸い込んで、ケーシング１の髪処理部(第１,第２挟持部１５,１６)の近傍に設けられた第１吹出口１３Ａから、イオン発生装置２１の第１電極２１Ａ(プラスイオン発生部)により生成されたプラスイオンを主に含む空気を吹き出す一方、ケーシング１の髪処理部(第１,第２挟持部１５,１６)の近傍に、第１吹出口１３Ａに対して吹出方向が異なるように設けられた第２吹出口１３Ｂから、イオン発生装置２１の第２電極２１Ｂ(マイナスイオン発生部)により生成されたマイナスイオンを主に含む空気を吹き出すことによって、髪処理部(第１,第２挟持部１５,１６)と髪が静電気により反発し合うことを防ぐことができ、処理後の髪にマイナスイオンを確実に付着させることができ、髪のまとまりを向上できる。
【００６５】
また、上記第１吹出口１３Ａおよび第２吹出口１３Ｂは、ケーシング１の髪処理部(第１,第２挟持部１５,１６)近傍に髪処理部(第１,第２挟持部１５,１６)を挟むように夫々設けることによって、第１吹出口１３Ａを髪を処理していく方向(髪根元部側から髪先端部側に向かう方向)の上流側とし、第２吹出口１３Ｂを髪を処理していく方向の下流側(髪根元部)として、第１吹出口１３Ａからプラスイオンを主に含む空気を吹き出し、第２吹出口１３Ｂからマイナスイオンを主に含む空気を吹き出すことが可能になる。
【００６６】
また、上記髪処理部(第１,第２挟持部１５,１６)の髪を処理していく方向(髪根元部から髪先端部に向かう方向)の上流側(髪先端部)に設けられた第１吹出口１３Ａからプラスイオンを主に含む空気吹き出し、髪処理部(第１,第２挟持部１５,１６)の髪を処理していく方向の下流側(髪根元部)に設けられた第２吹出口１３Ｂからマイナスイオンを主に含む空気吹き出す。これによって、髪処理部(第１,第２挟持部１５,１６)で髪を処理する前に髪に第１吹出口１３Ａからのプラスイオンを付着させて、この髪に付着したプラスイオンにより髪処理部(第１,第２挟持部１５,１６)に帯電したマイナスの電荷を中和して除去すると共に、髪処理部(第１,第２挟持部１５,１６)で処理した後の髪に第２吹出口１３Ｂからのマイナスイオンを付着させることができる。
【００６７】
また、上記第１髪挟み部２と第２髪挟み部３とを揺動軸８を介して互いに揺動させて、第１髪挟み部２と第２髪挟み部３の夫々の髪処理部である第１,第２挟持部１５,１６の挟持面部間に髪を挟んで、髪をアイロンがけすることにより髪を収まりよくまとめることができる。
【００６８】
上記第１実施形態では、切替スイッチＳＷ１,ＳＷ２で構成されたイオン切替部を備えたが、これに限らず、イオン切替部を備えず、第１吹出口からプラスイオンを主に含む空気を吹き出して、第２吹出口からマイナスイオンを主に含む空気を吹き出したり、第１吹出口からマイナスイオンを主に含む空気を吹き出して、第２吹出口からプラスイオンを主に含む空気を吹き出したりするように、第１,第２吹出口から吹き出すイオン種が固定されたヘアアイロンでもよい。
【００６９】
また、上記第１実施形態では、操作スイッチ部３１と制御部３０と切替スイッチＳＷ１,ＳＷ２で構成されたイオン切替部を備えたヘアドライヤについて説明したが、イオン切替部はこれに限らず、手動または電動機構でイオン発生装置のプラスイオン発生部とマイナスイオン発生部の位置を切り替えるヘアケア装置であってもよい。
【００７０】
また、図６Ｂは他の形態のヘアアイロンの構成図を示しており、このヘアアイロンは、重力方向検出部と制御部とを除いて図６Ａに示すヘアアイロンと同一の構成をしており、同一構成部には同一参照番号を付している。
【００７１】
図６Ｂに示すように、ケーシング１内に配置された重力方向検出部３４により検出されたケーシング１に対する重力方向に基づいて、制御部３０の吹出モード判定部３０aによって、プラスイオンを主に含む空気を第１吹出口１３Ａから吹き出して、マイナスイオンを主に含む空気を第２吹出口１３Ｂから吹き出す第１吹出モードか、または、プラスイオンを主に含む空気を第２吹出口１３Ｂから吹き出して、マイナスイオンを主に含む空気を第１吹出口１３Ａから吹き出す第２吹出モードかを判定して、イオン切替制御部３０bにより切替スイッチＳＷ１,ＳＷ２を切り替えてもよい。ここで、重力方向検出部３４は、例えば、ジャイロセンサ、加速度センサ、歪センサ、水銀スイッチなどを用いて重力方向を検出する。
【００７２】
これにより、自動的に第１吹出口１３Ａと第２吹出口１３Ｂから吹き出すイオン種を切り替えることができる。
【００７３】
あるいは、加速度センサにより検出されたケーシングの移動方向に基づいて、髪処理部の髪を処理していく方向の上流側が第１吹出口で髪処理部の髪を処理していく方向の下流側が第２吹出口であるか、または、髪処理部の髪を処理していく方向の上流側が第２吹出口で髪処理部の髪を処理していく方向の下流側が第１吹出口であるか判定する吹出口判定部とを備えてもよい。この場合、髪処理部の髪を処理していく方向の上流側が第１吹出口で髪処理部の髪を処理していく方向の下流側が第２吹出口があると吹出口判定部が判定すると、プラスイオンを主に含む空気を第１吹出口から吹き出して、マイナスイオンを主に含む空気を第２吹出口から吹き出す第１吹出モードとする一方、髪処理部の髪を処理していく方向の上流側が第２吹出口で髪処理部の髪を処理していく方向の下流側が第１吹出口があると吹出口判定部が判定すると、プラスイオンを主に含む空気を第２吹出口から吹き出して、マイナスイオンを主に含む空気を第１吹出口から吹き出す第２吹出モードとしてもよい。
【００７４】
これにより、自動的に第１吹出口と第２吹出口から吹き出すイオン種を切り替えることができる。
【００７５】
〔第２実施形態〕
図８はこの発明の第２実施形態のヘアアイロンの斜視図を示し、図９は上記ヘアアイロンの側面図を示している。
【００７６】
この第２実施形態のヘアアイロンは、図８,図９に示すように、重なり合うように配置された第１髪挟み部１０２と第２髪挟み部１０３と、第１髪挟み部１０２と第２髪挟み部１０３を一端側で互いに揺動可能に連結する連結部の一例としての揺動軸１０８とを有するケーシング１０１を備えている。上記第１髪挟み部１０２は、第１握り部１０４と第１アイロン部１０５とを有している。また、上記第２髪挟み部１０３は、第２握り部１０６と第２アイロン部１０７とを有している。上記ケーシング１０１は、例えばＰＥＴ(ポリエチレンテレフタレート)等の合成樹脂からなる。
【００７７】
ここで、上記ヘアアイロンの第１髪挟み部１０２の第２髪挟み部１０３と反対の側を表面とし、第２髪挟み部１０３の第１髪挟み部１０２と反対の側を裏面とする。
【００７８】
上記第１髪挟み部１０２と第２髪挟み部１０３を、互いに開く方向に付勢する図示しないバネを揺動軸１０８に巻装している。図９に示すように、第２髪挟み部１０３は、第１髪挟み部１０２に対して揺動軸１０８を軸として回動して、点線で示す位置で揺動軸１０８に巻装されたバネにより保持される。
【００７９】
上記第１髪挟み部１０２の第１握り部１０４の幅および厚さを第１アイロン部１０５よりも小さくし、かつ、第２髪挟み部１０３の第２握り部１０６の幅および厚さを第２アイロン部１０７よりも小さくして握り易くしている。
【００８０】
上記第１髪挟み部１０２の第１アイロン部１０５側の両側面には、第１髪挟み部１０２の長手方向に沿って円形状の複数の穴からなる第１,第２吹出口１１３Ａ,１１３Ｂを夫々設けている。また、上記ケーシング１０１の第１握り部１０４側の側面に、スライド式の電源スイッチ１１４を設けている。なお、第１,第２吹出口１１３Ａ,１１３Ｂの形状はこれに限らず、四角形、長方形、楕円形、長穴、スリットなどでもよく、これらのうちの少なくとも２つを組み合わせたものでもよい。
【００８１】
上記第１髪挟み部１０２の第１アイロン部１０５の第１握り部１０４側の端部の上面と両側面には、吸気口１１０,１１１,１１２を設けている。このように、異なる三面に吸気口１１０,１１１,１１２を設けているのは、吸気口１１０,１１１,１１２の面積を広く取り、ユーザの指や手で覆われたとしても、完全に塞がれることがない。
【００８２】
上記吸気口１１０,１１１,１１２には、閉塞防止のためのリブ１１７,１１８,１１９を複数設けている。このリブ１１７,１１８,１１９によって、吸気口１１０,１１１,１１２がユーザの指や手で覆われたとしても、リブにより、指や手と吸気口１１０,１１１,１１２との間に隙間ができ、吸気口１１０,１１１,１１２が完全に塞がれることがない。
【００８３】
図１０は上記ヘアアイロンを示す図９のＸ−Ｘ線から見た断面図を示し、図１１は図１０のXI−XI線から見た断面図を示している。図１０,図１１では、図８,図９と同一の構成部に同一参照番号を付している。
【００８４】
図１０に示すように、第１髪挟み部１０２は、中空形状をしており、その第１髪挟み部１０２の内部には、イオン発生装置１２１と、ファンユニット１２２と、電源部１２３と、第１挟持部１１５とを有している。上記ファンユニット１２２は、図示しないファンと、このファンを駆動する図示しないモータとを有している。
【００８５】
上記イオン発生装置１２１は、第１アイロン部１０５内かつファンユニット１２２と第１,第２吹出口１１３Ａ,１１３Ｂとの間に配置されている。このイオン発生装置１２１は、第１実施形態のイオン発生装置２１と同様に、Ｈ＋(Ｈ２Ｏ)ｍ(ｍは任意の自然数)であるプラスイオンと、Ｏ２−(Ｈ２Ｏ)ｎ(ｎは任意の自然数)であるマイナスイオンとを放出する。
【００８６】
また、上記ファンユニット１２２は、第１髪挟み部１０２の第１握り部１０４側に設けられている。この第１握り部１０４のファンユニット１２２の周囲かつ第１握り部１０４側近傍に、図１０,図１１に示すように、吸気口１１０,１１１,１１２を設けて、この吸気口１１０,１１１,１１２からファンユニット１２２への空気の吸い込み抵抗を小さくしている。
【００８７】
また、上記電源部１２３は、第１握り部１０４内に設けられており、電源スイッチ１１４を介して交流電源(例えばＡＣ１０Ｖ)が接続されている。この電源スイッチ１１４がオン操作されると、電源部１２３からイオン発生装置１２１やファンユニット１２２等に駆動電力を供給する。
【００８８】
上記第１髪挟み部１０２の第１アイロン部１０５側には、平板形状の第１挟持部１１５を設けている。この第１挟持部１１５の平坦な挟持面が露出している。上記第２髪挟み部１０３は、第２アイロン部１０７側には、平板形状の第２挟持部１１６を設けている。この第２挟持部１１６は、第１髪挟み部１０２に設けている第１挟持部１１５と同じ構成である。また、第１髪挟み部１０２の第１挟持部１１５と同様に、第２挟持部１１６の平坦な挟持面が露出している。
【００８９】
上記第１,第２挟持部１１５,１１６は、図示しないヒータと、このヒータを保持固定する外装ケースとからなる。上記ヒータには、例えば、ＰＴＣ(ポジティブテンパーチャーコエフィシエント)ヒータやコイルヒータ、シーズヒータ等を用いていて、上記外装ケースは、例えば、アルミニウム等の高熱伝導部材から形成されている。
【００９０】
上記第１髪挟み部１０２の第１挟持部１１５の露出面と、この第２髪挟み部１０３の第２挟持部１１６の露出面とで髪を挟んで、挟んだ髪にアイロンがけを行う。
【００９１】
なお、第１アイロン部１０５側の第１挟持部１１５と第１アイロン部１０７側の第２挟持部１１６で髪処理部を形成している。
【００９２】
上記第１髪挟み部１０２の第１挟持部１１５とファンユニット１２２との間のイオン発生装置１２１の下側には、点検口１２０を設けている。この点検口１２０を設けることで、イオン発生装置１２１をケーシング１０１内部から取り出すことなく、イオン発生装置１２１に付着した埃等を取り除くことができる。なお、このには、の蓋を設けていて、イオン発生装置１２１の埃等の除去するときは、点検口１２０に着脱自在に設けられた蓋を取り外して行う。
【００９３】
上記第２髪挟み部１０３は、第１髪挟み部１０２と第２髪挟み部１０３とを重ね合わせたときに接合部分の形状が幅方向に一致するように、第１髪挟み部１０２と同じ幅方向の形状に形成している。
【００９４】
図１０,図１１に示すように、第１髪挟み部１０２の第２髪挟み部１０３側には、ファンユニット１２２を第１髪挟み部１０２内部に配置するときに位置を決めるための張り出し部１３１を設けている。このように、第１髪挟み部１０２に張り出し部３１を用いて、ファンユニット１２２を取り付けることによって、ヘアアイロンの第１アイロン部１０５側の厚さ寸法を抑えつつ、より送風量の大きなファンユニット１２２を使用することができる。
【００９５】
上記第２髪挟み部１０３には、第１髪挟み部１０２と第２髪挟み部１０３とを重ね合わせた状態において、張り出し部１３１に対応する凹部１３２を設けている。第２髪挟み部１０３に凹部１３２を設けることで、第１髪挟み部１０２と第２髪挟み部１０３とを重ね合わせたときに張り出し部１３１が凹部１３２に嵌合されるので、使用中に第１髪挟み部１０２と第２髪挟み部１０３とがずれるのを防止する。これにより、高温の第１,第２挟持部１１５,１１６がユーザに直接触れる等の事故の発生を防止して、使用時の安全を確保することができる。
【００９６】
図１２は図１０のXII−XII線から見た断面図を示している。図１２では、図８,図９と同一の構成部に同一参照番号を付している。
【００９７】
図１２に示すように、点検口１２０は、ケーシング１０１の底部にイオン発生装置１２１の幅よりも大きく開口している。このように、点検口１２０をイオン発生装置１２１の幅よりも大きく開口することによって、メンテナンス器具を点検口１２０からケーシング１０１の内部に入れ易くなり、容易にイオン発生装置１２１に付着した埃等を取り除くことができる。
【００９８】
また、イオン発生装置１２１の第１電極１２１Ａ(プラスイオン発生部)からのプラスイオンを含む空気が第１アイロン部１０５の第１吹出口１１３Ａから吹き出す。一方、イオン発生装置１２１の第２電極１２１Ｂ(マイナスイオン発生部)からのマイナスイオンを含む空気が第１アイロン部１０５の第２吹出口１１３Ｂから吹き出す。
【００９９】
図１３は図１０のXIII−XIII線から見た断面図を示している。図１３では、図８,図９と同一の構成部に同一参照番号を付している。
【０１００】
図１０,図１３に示すように、第１,第２挟持部１１５,１１６は、第１髪挟み部１０２および第２髪挟み部１０３を重ね合わせたときに、接合面がずれることなく正対するように配置している。また、ケーシング１０１の第１髪挟み部１０２の左右の側面の第１挟持部１１５に対して第２髪挟み部１０３と反対の側に吹出口１１３Ａ,１１３Ｂを設けている。
【０１０１】
また、上記ケーシング１０１の第１髪挟み部１０２内に、吹出口１１３Ａ側と吹出口１１３Ｂ側とを仕切る仕切板１０９を設けている。この仕切板１０９は、第１髪挟み部１０２の先端側からイオン発生装置１２１近傍まで延在している。
【０１０２】
上記構成のヘアアイロンにおいて、まず、第１握り部１０４にある電源スイッチ１１４をオンする。そうすると、電源部１２３からイオン発生装置１２１、ファンユニット１２２、第１,第２挟持部１１５,１１６のヒータに電力が供給される。そして、イオン発生装置１２１の第１電極１２１Ａからプラスイオンが生成されると共に、第２電極１２１Ｂからマイナスイオンが生成されると共に、ファンユニット１２２により吸気口１１０,１１１,１１２から吸い込まれた空気は、イオン発生装置１２１を経て第１髪挟み部１０２の仕切板１０９でプラスイオンが主に含まれる空気とマイナスイオンが主に含まれる空気に分かれ、プラスイオンが主に含まれる空気は吹出口１１３Ａから吹き出す一方、マイナスイオンが主に含まれる空気は吹出口１１３Ｂから吹き出す。
【０１０３】
次に、真っ直ぐにしたい髪の部分を第１髪挟み部１０２および第２髪挟み部１０３の各々の第１,第２挟持部１１５,１１６の間に挟んで、第１,第２握り部１０３,１０８を握る。第１,第２握り部１０３,１０８を握ると、開いていた第１髪挟み部１０２と第２髪挟み部１０３との間の空間が閉じて、第１髪挟み部１０２の第１挟持部１１５と第２髪挟み部１０３の第２挟持部１１６により髪が挟持される。
【０１０４】
そして、第１,第２握り部１０３,１０８を握って髪を挟持したまま、第１実施形態の図３に示す方向に髪に沿ってスライドさせる。このとき、挟持されている髪は、第１,第２挟持部１１５,１１６の熱で加熱されると共に、第１,第２挟持部１１５,１１６のフラットな露出面に挟まれたまま梳き流される。そのため、髪を真っ直ぐに伸ばすことができる。
【０１０５】
このとき、上記イオン発生装置１２１によって生成されたプラスイオンとマイナスイオンが放出される。このとき、イオン発生装置１２１を経て第１髪挟み部１０２の仕切板１０９でプラスイオンが主に含まれる空気とマイナスイオンが主に含まれる空気に分かれて、プラスイオンが主に含まれる空気は吹出口１１３Ａから吹き出す一方、マイナスイオンが主に含まれる空気は吹出口１１３Ｂから吹き出して、ユーザの髪およびその周辺を包み込む。
【０１０６】
そうすることによって、髪処理部(第１,第２挟持部１１５,１１６)で髪を処理する前に髪に第１吹出口１１３Ａからのプラスイオンを付着させて、この髪に付着したプラスイオンにより髪処理部(第１,第２挟持部１１５,１１６)に帯電したマイナスの電荷を中和して除去する。また、髪処理部(第１,第２挟持部１１５,１１６)で処理した後の髪に第２吹出口１１３Ｂからのマイナスイオンを付着させる。これによって、髪処理部(第１,第２挟持部１１５,１１６)と髪が静電気により反発し合うことを防ぐことができ、処理後の髪にマイナスイオンを確実に付着させることができ、髪のまとまりを向上できる。
【０１０７】
このとき、上記吸気口１１０,１１１,１１２が第２髪挟み部１０３に対向する面以外の第１髪挟み部１０２のケーシング１０１の外観面に設けられているので、第１髪挟み部１０２と第２髪挟み部１０３との間に吸気用の空間を設ける必要がない。そのため、第１髪挟み部１０２と第２髪挟み部１０３とを重ね合わせた状態での第１,第２握り部１０３,１０８のサイズを小さくすることができて、握り易くなると共に、十分な吸気を確保することができる。
【０１０８】
また、上記吸気口１１０,１１１,１１２が第２髪挟み部１０３に対向する面以外の第１髪挟み部１０２のケーシング１０１の外観面に設けられているため、ユーザの髪の毛が吸気口１１０,１１１,１１２に吸い込まれることがなく、従って吸気性能の低下を低減することができる。
【０１０９】
また、上記吸気口１１０,１１１,１１２が第１髪挟み部１０２側にあるので、ヘアアイロンの使用時に、吸気口１１０,１１１,１１２が手で覆われることが少なく、吸気性能の低下を低減することができる。
【０１１０】
上記ヘアアイロンでは、吸気口１１０,１１１,１１２を第１髪挟み部１０２のケーシング１０１の上面および左右両側面に設けているが、これに限られず、例えば、上面のみ、あるいは、左右両側面のみに設けてもよい。もっとも、吸気口の数を減らすことで吸気性能は低下するが、１つの吸気口であっても使用可能である。
【０１１１】
また、上記吸気口１１０,１１１,１１２は、第１髪挟み部１０２の第１握り部１０４に設けても良い。もっとも、吸気口１１０,１１１,１１２を第１握り部１０４に設けることで、ファンと吸気口１１０,１１１,１１２との距離が遠くなり吸気性能は低下するが、使用可能である。
【０１１２】
上記ヘアアイロンでは、第１髪挟み部１０２の第１挟持部１１５と第２髪挟み部１０３の第２挟持部１１６の両方にヒータを設けているが、少なくとも第１髪挟み部１０２の第１挟持部１１５にヒータが設けられていればよい。
【０１１３】
上記ヘアアイロンでは、第１髪挟み部１０２と第２髪挟み部１０３とが対向する面に平板形状の第１,第２挟持部１１５,１１６のみを設けているが、これに限らず、例えば、第１,第２挟持部１１５,１１６の周囲に整髪用の櫛歯を設けてもよい。
【０１１４】
上記ヘアアイロンでは、第１,第２挟持部１１５,１１６の露出面をフラットに形成しているが、これに限られず、例えば、波型に形成してもよい。
【０１１５】
また、ケーシング１０１内の第１,第２挟持部１１５,１１６近傍に温度制御装置を設けてもよい。この温度制御装置を設けることで、第１,第２挟持部１１５,１１６のヒータの温度を一定範囲の任意の温度に設定することができる。
【０１１６】
上記第２実施形態のヘアアイロンは、第１実施形態のヘアアイロンと同様の効果を有する。
【０１１７】
また、プラスイオンを主に含む空気を第１吹出口１１３Ａから吹き出して、マイナスイオンを主に含む空気を第２吹出口１１３Ｂから吹き出す第１吹出モードか、または、プラスイオンを主に含む空気を第２吹出口１１３Ｂから吹き出して、マイナスイオンを主に含む空気を第１吹出口１３Ａから吹き出す第２吹出モードかの切り替えを可能にするイオン切替部を備えてもよい。それによって、第１吹出口１１３Ａと第２吹出口１１３Ｂから吹き出すイオン種を選択することが可能になる。
【０１１８】
あるいは、図６Ｂに示す重力方向検出部または加速度センサを用いて、自動的に第１吹出口１１３Ａと第２吹出口１１３Ｂから吹き出すイオン種を切り替えてもよい。
【０１１９】
〔第３実施形態〕
図１４はこの発明の第３実施形態のヘアケア装置の一例としてのヘアアイロンの模式図を示している。この第３実施形態のヘアアイロンは、第２吹出口を除いて第１実施形態のヘアアイロンと同一の構成をしている。なお、図１４では、第１髪挟み部２０２は、第１握り部２０４と第１アイロン部２０５のみを第２髪挟み部側から対向する側を示している。
【０１２０】
この第３実施形態のヘアアイロンは、図１４に示すように、重なり合うように配置された第１髪挟み部２０２と第２髪挟み部(図示せず)と、第１髪挟み部２０２と第２髪挟み部を一端側で互いに揺動可能に連結する連結部の一例としての揺動軸(図示せず)とを有するケーシング２０１を備えている。また、上記第１髪挟み部２０２の第１アイロン部２０５側には、図示しないヒータにより加熱される平板形状の第１挟持部２１５を設けている。
【０１２１】
上記第１髪挟み部２０２は、中空形状をしており、その第１髪挟み部２０２の内部には、イオン発生装置２２１と、ファンユニット２２２と、電源部(図示せず)と、第１挟持部２１５とを有している。上記ファンユニット２２２は、ファン２２２aとそのファン２２２aを駆動するモータ(図示せず)とを有している。
【０１２２】
また、上記第１髪挟み部２０２の第１アイロン部２０５側の第１挟持部２１５の近傍に、第１挟持部２１５の他方の側に、第１髪挟み部２０２の長手方向に沿って配列された円形状の複数の穴からなる第２吹出口２１３Ａを設けている。この第２吹出口２１３Ａは、第１挟持部２１５側に吹出方向が向くように形成されている。また、上記第１髪挟み部２０２の第１アイロン部２０５側の第１挟持部２１５の近傍に、第１挟持部２１５の一方の側に、第１髪挟み部２０２の長手方向に沿って配列された円形状の複数の穴からなる第１吹出口２１３Ｂを設けている。
【０１２３】
また、上記第１アイロン部２０５内に、第１吹出口２１３Ａ側と第２吹出口２１３Ｂ側とを仕切る仕切板２０９を設けている。上記ファンユニット２２２と仕切板２０９で送風機構を構成している。
【０１２４】
また、図示しない第２髪挟み部は、第２アイロン部側には、第１挟持部１５と同じ構成の平板形状の第２挟持部を設けている。上記第１髪挟み部２０２の第１挟持部２１５の露出面と、この第２髪挟み部の第２挟持部の露出面とで髪を挟んで、その挟んだ髪の根元側から毛先側に沿ってヘアアイロンをスライドさせるにより、ストレートヘアやカールヘアなどのヘアケア処理を行う。
【０１２５】
なお、第１アイロン部２０５側の第１挟持部２１５と第２アイロン部側の第２挟持部で髪処理部を形成している。
【０１２６】
また、上記構成のヘアケア装置ケーシング２０１内に配置された送風機構によって、ケーシング２０１に設けられた吸込口から空気を吸い込んで、イオン発生装置２２１の第１電極２２１Ａ(プラスイオン発生部)により生成されたプラスイオンを主に含む空気を第１吹出口２１３Ａから吹き出す一方、イオン発生装置２２１の第２電極２２１Ｂ(マイナスイオン発生部)により生成されたマイナスイオンを主に含む空気を第２吹出口２１３Ｂから吹き出す。そうすることによって、髪を処理する髪処理部(第１挟持部２１５と第２挟持部)に第１吹出口２１３Ａからのプラスイオンを付着させて、髪との摩擦により帯電した髪処理部のマイナスの電荷を中和して除去する。また、髪処理部で処理した後の髪に第２吹出口２１３Ｂからのマイナスイオンを付着させる。これによって、髪処理部と髪が静電気により反発し合うことを防ぐことができ、処理後の髪にマイナスイオンを確実に付着させることができるので、髪のまとまりを向上できる。
【０１２７】
〔第４実施形態〕
図１５はこの発明の第４実施形態のヘアケア装置の一例としてのヘアアイロンの模式図を示している。この第４実施形態のヘアアイロンは、第２吹出口を除いて第１実施形態のヘアアイロンと同一の構成をしている。なお、図１５では、第１髪挟み部３０２は、第１握り部３０４と第１アイロン部３０５のみを第２髪挟み部側から対向する側を示している。
【０１２８】
この第４実施形態のヘアアイロンは、図１５に示すように、上下に対向するように配置された第１髪挟み部３０２と第２髪挟み部(図示せず)と、第１髪挟み部３０２と第２髪挟み部を一端側で互いに揺動可能に連結する連結部の一例としての揺動軸(図示せず)とを有するケーシング３０１を備えている。また、上記第１髪挟み部３０２の第１アイロン部３０５側には、図示しないヒータにより加熱される平板形状の第１挟持部３１５を設けている。
【０１２９】
上記第１髪挟み部３０２は、中空形状をしており、その第１髪挟み部３０２の内部には、イオン発生装置３２１と、ファンユニット３２２と、電源部(図示せず)と、第１挟持部３１５とを有している。上記ファンユニット３２２は、ファン３２２aとそのファン３２２aを駆動するモータ(図示せず)とを有している。
【０１３０】
上記ケーシング３０１の第１アイロン部３０５側の第１挟持部３１５の近傍かつ第１挟持部３１５の一方の側に、ケーシング３０１の長手方向に沿って配列された円形状の複数の穴からなる第１吹出口３１３Ａを設けると共に、ケーシング３０１の第１アイロン部３０５側の第１挟持部２１５の近傍かつ第１挟持部２１５の他方の側に、ケーシング３０１の長手方向に沿って配列された円形状の複数の穴からなる第１吹出口３１３Ｃを設けている。さらに、第１挟持部２１５に、ケーシング３０１の長手方向に沿って円形状の複数の穴からなる第２吹出口３１３Ｂを設けている。
【０１３１】
また、上記第１アイロン部３０５内に、第１吹出口３１３Ａ,３１３Ｃ側と第２吹出口３１３Ｂ側とを仕切る仕切部３０９を設けている。上記ファンユニット３２２と仕切部３０９で送風機構を構成している。
【０１３２】
また、図示しない第２髪挟み部は、第２アイロン部側には、第１挟持部３１５と同じ構成の平板形状の第２挟持部を設けている。上記第１髪挟み部３０２の第１挟持部３１５の露出面と、この第２髪挟み部の第２挟持部の露出面とで髪を挟んで、その挟んだ髪の根元側から毛先側に沿ってヘアアイロンをスライドさせるにより、ストレートヘアやカールヘアなどのヘアケア処理を行う。
【０１３３】
なお、第１アイロン部３０５側の第１挟持部３１５と第２アイロン部側の第２挟持部で髪処理部を形成している。
【０１３４】
また、上記構成のヘアケア装置ケーシング３０１内に配置された送風機構によって、ケーシング３０１に設けられた吸込口から空気を吸い込んで、イオン発生装置３２１の第１電極３２１Ａ(プラスイオン発生部)により生成されたプラスイオンを主に含む空気を第１吹出口３１３Ａから吹き出す一方、イオン発生装置３２１の第２電極３２１Ｂ(マイナスイオン発生部)により生成されたマイナスイオンを主に含む空気を第２吹出口３１３Ｂから吹き出す。そうすることによって、髪を処理する髪処理部(第１挟持部３１５と第２挟持部)に第１吹出口３１３Ａからのプラスイオンを付着させて、髪との摩擦により帯電した髪処理部のマイナスの電荷を中和して除去する。また、髪処理部で処理した後の髪に第２吹出口３１３Ｂからのマイナスイオンを付着させる。これによって、髪処理部と髪が静電気により反発し合うことを防ぐことができ、処理後の髪にマイナスイオンを確実に付着させることができるので、髪のまとまりを向上できる。
【０１３５】
〔第５実施形態〕
図１６はこの発明の第５実施形態のヘアケア装置の一例としてのブローブラシ式ドライヤの断面模式図を示し、図１７は上記ブローブラシ式ドライヤの断面模式図を示している。
【０１３６】
この第５実施形態のブローブラシ式ドライヤは、図１６,図１７に示すように、本体部４０２とブローブラシ部４０３とを有するケーシング４０１を備えている。上記ケーシング４０１は、例えばＰＥＴ(ポリエチレンテレフタレート)等の合成樹脂からなる。
【０１３７】
上記本体部４０２の内部には、ヒータ(図示せず)と、イオン発生装置４２１と、ファンユニット４２２と、電源部(図示せず)とを有している。上記ファンユニット４２２は、ファン４２２aとそのファン４２２aを駆動するモータ(図示せず)とを有している。
【０１３８】
上記ケーシング４０１のブローブラシ部４０３側に、髪処理部の一例としてのブリスル４１５を突設している。上記ケーシング４０１のブローブラシ部４０３側かつブリスル４１５近傍に、ケーシング４０１の長手方向に沿って配列された円形状の複数の穴からなる第１,第２吹出口４１３Ａ,４１３Ｂをブリスル４１５を挟むように夫々設けている。また、上記ブローブラシ部４０３内に、第１吹出口４１３Ａ側と第２吹出口４１３Ｂ側とを仕切る仕切板４０９を設けている。上記ファンユニット４２２と仕切板４０９で送風機構を構成している。
【０１３９】
上記イオン発生装置４２１は、ケーシング４０１内かつファンユニット４２２とブローブラシ部４０３との間に配置されている。また、ケーシング４０１内かつイオン発生装置４２１とブローブラシ部４０３との間に図示しないヒータが配置されている。上記ヒータには、例えば、コイルヒータ等を用いている。
【０１４０】
上記ブローブラシ部４０３のブリスル４１５で髪を梳くことにより、濡れた髪を乾かしたり整えたりするヘア処理を行う。
【０１４１】
上記構成のブローブラシ式ドライヤによれば、ケーシング４０１内に配置された送風機構によって、ケーシング４０１に設けられた吸込口から空気を吸い込んで、ケーシング４０１の髪処理部(ブリスル４１５)の近傍に設けられた第１吹出口４１３Ａから、イオン発生装置４２１の第１電極４２１Ａ(プラスイオン発生部)により生成されたプラスイオンを主に含む空気を吹き出す一方、ケーシング４０１の髪処理部(ブリスル４１５)の近傍に、第１吹出口４１３Ａに対して吹出方向が異なるように設けられた第２吹出口４１３Ｂから、イオン発生装置４２１の第２電極４２１Ｂ(マイナスイオン発生部)により生成されたマイナスイオンを主に含む空気を吹き出すことによって、髪処理部(ブリスル４１５)と髪が静電気により反発し合うことを防ぐことができ、処理後の髪にマイナスイオンを確実に付着させることができ、髪のまとまりを向上できる。
【０１４２】
また、上記ブローブラシ式ドライヤによれば、ブローブラシ部４０３で髪の毛を巻きながら髪を収まりよくまとめることができる。
【０１４３】
なお、ブローブラシ式ドライヤにおいて、第１実施形態のヘアアイロンと同様に、プラスイオンを主に含む空気を第１吹出口４１３Ａから吹き出して、マイナスイオンを主に含む空気を第２吹出口４１３Ｂから吹き出す第１吹出モードか、または、プラスイオンを主に含む空気を第２吹出口４１３Ｂから吹き出して、マイナスイオンを主に含む空気を第１吹出口４１３Ａから吹き出す第２吹出モードかを切り替えるイオン切替部を備えてもよい。この場合、第１吹出モードか第２吹出モードかの切り替え用スイッチを本体部４０２に設けてもよい。
【０１４４】
〔第６実施形態〕
図１８はこの発明の第６実施形態のヘアケア装置の一例としてのブローブラシ式ドライヤの側面図を示し、図１９は上記ブローブラシ式ドライヤの先端側から見た側面図を示している。
【０１４５】
この第６実施形態のブローブラシ式ドライヤは、図１８,図１９に示すように、円筒形状の本体部５０２と、上記本体部５０２の一端に着脱自在に取り付けられたブローブラシ部５０３とを有するケーシング５０１を備えている。上記ケーシング５０１は、例えばＰＥＴ(ポリエチレンテレフタレート)等の合成樹脂からなる。
【０１４６】
上記ブローブラシ部５０３側に、髪処理部の一例としてのブリスル５１５を突設している。上記ブローブラシ部５０３側かつブリスル５１５間に長手方向に沿ってスリット状の複数の穴が設けられている。そのスリット状の複数の穴のうち、図１９に示す箇所の特定の穴の列が第２吹出口５１３Ａであり、図１９に示す箇所の特定の穴の列が第２吹出口５１３Ｂである。また、上記スリット状の複数の穴のうちの残りが第３吹出口である。
【０１４７】
また、上記本体部５０２にスイッチ部５１４を設けている。このスイッチ部５１４は、イオン発生装置２１のオンオフ用スイッチと、ファンおよびヒータのオンオフ用スイッチとを有する。
【０１４８】
また、図２０は上記ブローブラシ式ドライヤの断面模式図を示している。
【０１４９】
上記本体部５０２の内部には、ヒータ(図示せず)と、イオン発生装置５２１と、ファンユニット５２２と、電源部(図示せず)とを有している。上記ファンユニット５２２は、ファン(図示せず)とそのファンを駆動するモータ(図示せず)とを有している。
【０１５０】
また、上記ブローブラシ部５０３内に、イオン発生装置５２１から第１吹出口５１３Ａ側に向かってプラスイオンを主に含む空気が流れる流路と、イオン発生装置５２１から第２吹出口５１３Ｂ側に向かってマイナスイオンを主に含む空気が流れる流路と、イオン発生装置５２１を介さずに第３吹出口側に向かって空気が流れる流路とを仕切る仕切部(図示せず)を設けている。上記ファンユニット５２２と仕切部で送風機構を構成している。
【０１５１】
上記構成のブローブラシ式ドライヤによれば、ケーシング５０１内に配置された送風機構によって、ケーシング５０１に設けられた吸込口から空気を吸い込んで、ケーシング５０１の髪処理部(ブリスル５１５)の近傍に設けられた第１吹出口５１３Ａから、イオン発生装置５２１の第１電極(プラスイオン発生部)により生成されたプラスイオンを主に含む空気を吹き出す一方、ケーシング５０１の髪処理部(ブリスル５１５)の近傍に、第１吹出口５１３Ａに対して吹出方向が異なるように設けられた第２吹出口５１３Ｂから、イオン発生装置５２１の第２電極(マイナスイオン発生部)により生成されたマイナスイオンを主に含む空気を吹き出すことによって、髪処理部(ブリスル５１５)と髪が静電気により反発し合うことを防ぐことができ、処理後の髪にマイナスイオンを確実に付着させることができ、髪のまとまりを向上できる。
【０１５２】
また、上記構成のブローブラシ式ドライヤによれば、ブローブラシ部５０３で髪の毛を巻きながら髪を収まりよくまとめることができる。
【０１５３】
なお、ブローブラシ式ドライヤにおいて、第１実施形態のヘアアイロンと同様に、プラスイオンを主に含む空気を第１吹出口５１３Ａから吹き出して、マイナスイオンを主に含む空気を第２吹出口５１３Ｂから吹き出す第１吹出モードか、または、プラスイオンを主に含む空気を第２吹出口５１３Ｂから吹き出して、マイナスイオンを主に含む空気を第１吹出口５１３Ａから吹き出す第２吹出モードかを切り替えるイオン切替部を備えてもよい。この場合、第１吹出モードか第２吹出モードかの切り替え用スイッチを本体部５０２に設けてもよい。
【０１５４】
〔第７実施形態〕
図２１はこの発明の第７実施形態のヘアケア装置の一例としてのロールブラシ式ドライヤの側面図を示し、図２２は上記ロールブラシ式ドライヤの先端側から見た側面図を示している。
【０１５５】
この第７実施形態のブローブラシ式ドライヤは、ロールブラシ部６０３を除いて第６実施形態のブローブラシ式ドライヤと同一の構成をしており、同一構成部には同一参照番号を付している。
【０１５６】
この第７実施形態のロールブラシ式ドライヤは、図２１,図２２に示すように、円筒形状の本体部５０２と、上記本体部５０２の一端に着脱自在に取り付けられたロールブラシ部６０３とを有するケーシング６０１を備えている。
【０１５７】
上記ロールブラシ部６０３側かつ全周に４０度毎に周方向等間隔で髪処理部の一例としてのブリスル６１５を突設している。上記ロールブラシ部６０３側かつブリスル６１５間に、長手方向に沿って配列されたスリット状の複数の穴が設けられている。そのスリット状の複数の穴のうち、図２２に示す箇所の特定の穴の列が第２吹出口６１３Ａであり、図２２に示す箇所の特定の穴の列が第６吹出口５１３Ｂである。
【０１５８】
また、図２３は上記ロールブラシ式ドライヤの断面模式図を示しており、本体部５０２の内部は、第６実施形態と同様である。
【０１５９】
また、上記ロールブラシ部６０３内に、イオン発生装置５２１から第１吹出口６１３Ａ側に向かってプラスイオンを主に含む空気が流れる流路と、イオン発生装置５２１から第２吹出口6１３Ｂ側に向かってマイナスイオンを主に含む空気が流れる流路と、イオン発生装置５２１を介さずに第３吹出口側に向かって空気が流れる流路とを仕切る仕切部(図示せず)を設けている。上記ファンユニット５２２と仕切部で送風機構を構成している。
【０１６０】
上記構成のロールブラシ式ドライヤによれば、ケーシング６０１内に配置された送風機構によって、ケーシング６０１に設けられた吸込口から空気を吸い込んで、ケーシング６０１の髪処理部(ブリスル６１５)の近傍に設けられた第１吹出口６１３Ａから、イオン発生装置５２１の第１電極(プラスイオン発生部)により生成されたプラスイオンを主に含む空気を吹き出す一方、ケーシング６０１の髪処理部(ブリスル６１５)の近傍に、第１吹出口６１３Ａに対して吹出方向が異なるように設けられた第２吹出口６１３Ｂから、イオン発生装置５２１の第２電極(マイナスイオン発生部)により生成されたマイナスイオンを主に含む空気を吹き出すことによって、髪処理部(ブリスル６１５)と髪が静電気により反発し合うことを防ぐことができ、処理後の髪にマイナスイオンを確実に付着させることができ、髪のまとまりを向上できる。
【０１６１】
また、上記ロールブラシ式ドライヤによれば、ロールブラシ部６０３で髪の毛を巻きながら髪を収まりよくまとめることができる。
【０１６２】
なお、ロールブラシ式ドライヤにおいて、第１実施形態のヘアアイロンと同様に、プラスイオンを主に含む空気を第１吹出口６１３Ａから吹き出して、マイナスイオンを主に含む空気を第２吹出口６１３Ｂから吹き出す第１吹出モードか、または、プラスイオンを主に含む空気を第２吹出口６１３Ｂから吹き出して、マイナスイオンを主に含む空気を第１吹出口６１３Ａから吹き出す第２吹出モードかを切り替えるイオン切替部を備えてもよい。この場合、第１吹出モードか第２吹出モードかの切り替え用スイッチを本体部５０２に設けてもよい。
【０１６３】
ここで、第６実施形態のブローブラシ式ドライヤと第７実施形態のロールブラシ式ドライヤにおいて、本体部５０２を共用して、ブローブラシ部５０３とロールブラシ部６０３とを交換して使用してもよい。
【０１６４】
この発明の具体的な実施の形態について説明したが、この発明は上記実施の形態に限定されるものではなく、この発明の範囲内で種々変更して実施することができる。
【符号の説明】
【０１６５】
１…ケーシング
２…第１髪挟み部
３…第２髪挟み部
４…第１握り部
５…第１アイロン部
６…第２握り部
７…第２アイロン部
８…揺動軸
１３Ａ…第１吹出口
１３Ｂ…第２吹出口
１５…第１挟持部
１６…第２挟持部
２１…イオン発生装置
２１Ａ…第１電極
２１Ｂ…第２電極
２２…ファンユニット
２３…電源部
３０…制御部
３０a…吹出モード判定部
３０b…イオン切替制御部
３１…操作スイッチ部
３２,３３…ヒータ
３４…重力方向検出部
Ｔ１…昇圧トランス
ＳＷ１,ＳＷ２…切替スイッチ
Ｄ１〜Ｄ４…ダイオード
１０１…ケーシング
１０２…第１髪挟み部
１０３…第２髪挟み部
１０４…第１握り部
１０５…第１アイロン部
１０６…第２握り部
１０７…第２アイロン部
１０８…揺動軸
１１０,１１１,１１２…吸気口
１１３Ａ…第１吹出口
１１３Ｂ…第２吹出口
１１４…電源スイッチ
１１５…第１挟持部
１１６…第２挟持部
１１７,１１８,１１９…リブ
１２０…点検口
１２１…イオン発生装置
１２１Ａ…第１電極
１２１Ｂ…第２電極
１２２…ファンユニット
１２３…電源部
１３１…張り出し部
１３２…凹部
２０１…ケーシング
２０１…第１髪挟み部
２０４…第１握り部
２０５…第１アイロン部
２０９…仕切板
２１３Ａ…第１吹出口
２１３Ｂ…第２吹出口
２１５…第１挟持部
２２１…イオン発生装置
２２１Ａ…第１電極
２２１Ｂ…第２電極
２２２…ファンユニット
２２２a…ファン
３０１…ケーシング
３０２…第１髪挟み部
３０４…第１握り部
３０５…第１アイロン部
３０９…仕切部
３１３Ａ,３１３Ｃ…第１吹出口
３１３Ｂ…第２吹出口
３１５…第１挟持部
３２１…イオン発生装置
３２１Ａ…第１電極
３２１Ｂ…第２電極
３２２…ファンユニット
３２２a…ファン
４０１…ケーシング
４０２…本体部
４０３…ブローブラシ部
４０９…仕切板
４１３Ａ,４１３Ｂ…第１,第２吹出口
４１５…ブリスル
４２１…イオン発生装置
４２２…ファンユニット
４２２a…ファン
５０１…ケーシング
５０２…本体部
５０３…ブローブラシ部
５１５…ブリスル
５１３Ａ…第１吹出口
５１３Ｂ…第２吹出口
５１４…スイッチ部
６０１…ケーシング
６０３…ロールブラシ部
６１５…ブリスル
６１３Ａ…第１吹出口
６１３Ｂ…第２吹出口
【図１】
2013118948.tif 000003
【図２】
2013118948.tif 000004
【図３】
2013118948.tif 000005
【図４】
2013118948.tif 000006
【図５】
2013118948.tif 000007
【図６Ａ】
2013118948.tif 000008
【図６Ｂ】
2013118948.tif 000009
【図７】
2013118948.tif 000010
【図８】
2013118948.tif 000011
【図９】
2013118948.tif 000012
【図１０】
2013118948.tif 000013
【図１１】
2013118948.tif 000014
【図１２】
2013118948.tif 000015
【図１３】
2013118948.tif 000016
【図１４】
2013118948.tif 000017
【図１５】
2013118948.tif 000018
【図１６】
2013118948.tif 000019
【図１７】
2013118948.tif 000020
【図１８】
2013118948.tif 000021
【図１９】
2013118948.tif 000022
【図２０】
2013118948.tif 000023
【図２１】
2013118948.tif 000024
【図２２】
2013118948.tif 000025
【図２３】
2013118948.tif 000026